(57)【要約】  ケーブル（５）及び対応したカップラに結合可能な、同軸的な差込み接続部のコネクタ（１）、特にアンテナコネクタであって、導電性の材料より形成された外部導体スリーブ（３）と、該外部導体スリーブ（３）のコネクタスリーブ領域の内部に配置された絶縁体（８）とから成っており、該絶縁体（８）がコンタクトピン（９）を有しており、この場合に外部導体スリーブ（３）と、ケーブル（５）の外側カバーの、コンタクトピン（９）に向いていない方の端部との間にシールエレメント（７）が配置されており、コネクタスリーブ（４）がシール（１０）又はシール面を有している。
2007521618.tif 000002
【特許請求の範囲】
【請求項１】
ケーブル（５）及び対応したカップラに結合可能な、同軸的な差込み接続部のコネクタ（１）、特にアンテナコネクタであって、導電性の材料より形成された外部導体スリーブ（３）と、該外部導体スリーブ（３）のコネクタスリーブ領域の内部に配置された絶縁体（８）とから成っており、該絶縁体（８）が、コンタクトピン（９）を有している形式のものにおいて、外部導体スリーブ（３）と、ケーブル（５）の外側カバーの、コンタクトピン（９）に向いていない方の端部との間にシールエレメント（７）が配置されており、コネクタスリーブ（４）が、シール（１０）又はシール面を有していることを特徴とする、同軸的な差込み接続部のコネクタ（１）。
【請求項２】
シール（１０）が、コネクタスリーブ（４）の、ケーブル（５）に向いた端部に配置されており、シール面が、コネクタスリーブ（４）の自由な端部に設けられている、請求項１記載の同軸的な差込み接続部のコネクタ（１）。
【請求項３】
シール（１０）が、シールリングの形で形成されており、該シールリングが、コネクタスリーブ（４）の自由な端部に向けられて、減衰された直径を備えたリング面（１１）を有している、請求項１又は２記載の同軸的な差込み接続部のコネクタ（１）。
【請求項４】
シール（１０）が、コネクタスリーブ（４）の外周に配置されており、カップラの差込みスリーブのシール面に対応配置されている、請求項１から３までのいずれか１項記載の同軸的な差込み接続部のコネクタ（１）。
【請求項５】
コネクタスリーブ（４）の外周にコンタクトスリーブ（４）が取り付けられており、該コンタクトスリーブ（１２）が、コネクタの差込みスリーブに対応配置されている、請求項１から４までのいずれか１項記載の同軸的な差込み接続部のコネクタ（１）。
【請求項６】
外部導体スリーブ（３）が、担体（２）内に挿入されており、該担体（２）がロックスライダ（１８）を有しており、該ロックスライダ（１８）が、外部導体スリーブ（３）に設けられた隆起部状の拡大部（１３）に後方から係合する、請求項１から５までのいずれか１項記載の同軸的な差込み接続部のコネクタ（１）。
【請求項７】
シールエレメント（７）が、外部導体スリーブ（３）から突出しており、シールする形で担体（２）に接続している、請求項１から６までのいずれか１項記載の同軸的な差込み接続部のコネクタ（１）。
【請求項８】
外部導体スリーブ（３）が、ショルダ（１４）を有しており、該ショルダ（１４）が、担体（２）に設けられた狭隘部（１５）に対応配置されている、請求項１から７までのいずれか１項記載の同軸的な差込み接続部のコネクタ。
【請求項９】
前記ロックスライダ（１８）が、２つのフィンガ（１７）を有しており、該フィンガ（１７）が、担体（２）内に設けられた開口（１６）を通過して、外部導体スリーブ（３）に設けられた隆起部状の拡大部（１３）の両側にまで達している、請求項１から８までのいずれか１項記載の同軸的な差込み接続部のコネクタ。
【請求項１０】
前記ロックスライダ（１８）が、支持体（２５）を有しており、該支持体（２５）にフィンガ（１７）が固定されており、支持体（２５）にさらに少なくとも２つのクランプ（１９）が設けられており、該クランプ（１９）が、担体（２）に設けられた切欠き（２０）に対応している、請求項１から９までのいずれか１項記載の同軸的な差込み接続部のコネクタ（１）。
【請求項１１】
ロック方向に直列に配置された複数の切欠き（２０）が設けられている、請求項１０記載の同軸的な差込み接続部のコネクタ（１）。
【請求項１２】
支持体（２５）及び／又は該支持体（２５）に向いた、担体（２）の支持面にシール（２１）が設けられている、請求項１から１１までのいずれか１項記載の同軸的な差込み接続部のコネクタ。
【請求項１３】
シール（２１）が、シールリングの形で構成されており、該シールリングが、支持体（２５）又は支持面の溝内に配置されている、請求項１から１２までのいずれか１項記載の同軸的な差込み接続部のコネクタ。
【請求項１４】
担体（２）が、支持体（２５）に向いた面に切欠き（２６）を有しており、該切欠き（２６）が、支持体（２５）の厚さ及び外側輪郭にほぼ対応している、請求項１から１３までのいずれか１項記載の同軸的な差込み接続部のコネクタ。
【請求項１５】
担体（２）が、コネクタネック（２２）を有しており、該コネクタネック（２２）が、カプラの担体の連結案内部に対応配置されており、コネクタネック（２２）が、シールリング（２３）又はシール面を有している、請求項１から１４までのいずれか１項記載の同軸的な差込み接続部のコネクタ。
【請求項１６】
担体（２）が、ロックエレメント（２４）を有しており、該ロックエレメント（２４）が、カップラの担体に設けられたロック対向ピースに対応配置されている、請求項１から１５までのいずれか１項記載の同軸的な差込み接続部のコネクタ。
【請求項１７】
ケーブル（５）及び対応したコネクタに結合可能な同軸的な差込み接続部のカップラ（１）、特にアンテナカップラであって、該カップラ（１）に、導電性の材料より形成された外部導体スリーブ（３）と、該外部導体スリーブ（３）の差込みスリーブ領域の内部に配置された絶縁体（８）が設けられており、該絶縁体（８）が、コンタクトエレメント（９）を有している形式のものにおいて、外部導体スリーブ（３）と、ケーブル（５）の外側カバーの、コンタクトエレメント（９）に向いていない方の端部との間にシールエレメント（７）が配置されており、差込みスリーブ（４）が、シール面（１０）又はシールを有していることを特徴とする、同軸的な差込み接続部のカップラ（１）。
【請求項１８】
シール面（１０）が、差込みスリーブ（４）の自由な端部に配置されており、シールが、差込みスリーブ（４）の、ケーブル（５）に向いた端部に設けられている、請求項１７記載の同軸的な差込み接続部のカップラ（１）。
【請求項１９】
シール面（１０）が、外側面取部（１１）、リング面（１２）及び内側面取部（１３）を有している、請求項１７又は１８記載の同軸的な差込み接続部のカップラ（１）。
【請求項２０】
シール面（１０）が、差込みスリーブ（４）の内部に配置されており、コネクタのコネクタスリーブに設けられたシールに対応配置されている、請求項１７から１９までのいずれか１項記載の同軸的な差込み接続部のカップラ（１）。
【請求項２１】
差込みスリーブ（４）の内部にコンタクトスリーブ（１４）が挿入されており、該コンタクトスリーブ（１４）が、コネクタのコネクタスリーブに対応配置されている、請求項１７から２０までのいずれか１項記載の同軸的な差込み接続部のカップラ（１）。
【請求項２２】
外部導体スリーブ（３）が、担体（２）内に挿入されており、該担体（２）が、ロックスライダ（２１）を有しており、該ロックスライダ（２１）が、外部導体スリーブ（３）に設けられた隆起部状の拡大部（１５）に後方から係合している、請求項１７から２１までのいずれか１項記載の同軸的な差込み接続部のカップラ（１）。
【請求項２３】
シールエレメント（７）が、外部導体スリーブ（３）から突出しており、シールする形で担体（２）に接続している、請求項１７から２２までのいずれか１項記載の同軸的な差込み接続部のカップラ（１）。
【請求項２４】
外部導体スリーブ（２）が、ショルダ（１７）を有しており、該ショルダ（１７）が、担体（２）に設けられた少なくとも１つの狭隘部（１８）に対応配置されている、請求項１７から２３までのいずれか１項記載の同軸的な差込み接続部のカップラ（１）。
【請求項２５】
ロックスライダ（２１）が、２つのフィンガ（２０）を有しており、該フィンガ（２０）が、担体（２）に設けられた開口（１９）を通過して、外部導体スリーブ（３）に設けられた隆起部状の拡大部（１５）の両側まで達している、請求項１７から２４までのいずれか１項記載の同軸的な差込み接続部のカップラ（１）。
【請求項２６】
ロックスライダ（２１）が、支持体（２９）を有しており、該支持体（２９）にフィンガ（２０）が固定されており、支持体（２９）にさらに少なくとも２つのクランプ（２２）が固定されており、該クランプ（２２）が、担体（２）に設けられた切欠き（２３）に対応している、請求項１７から２５までのいずれか１項記載の同軸的な差込み接続部のカップラ（１）。
【請求項２７】
ロック方向に直列に配置された複数の切欠き（２３）が設けられている、請求項２６記載の同軸的な差込み接続部のカップラ（１）。
【請求項２８】
支持体（２９）及び／又は該支持体（２９）に向いた、担体（２）の支持面にシール（２４）が設けられている、請求項１７から２７までのいずれか１項記載の同軸的な差込み接続部のカップラ（１）。
【請求項２９】
シール（２４）が、シールリングの形で構成されており、該シールリングが、支持体（２９）又は支持面の溝内に配置されている、請求項１７から２８までのいずれか１項記載の同軸的な差込み接続部のカップラ（１）。
【請求項３０】
担体（２）が、支持体（２９）に向いた面に切欠き（２８）を有しており、該切欠き（２８）が、支持体（２９）の厚さ及び外側輪郭にほぼ対応している、請求項１７から２９までのいずれか１項記載の同軸的な差込み接続部のカップラ（１）。
【請求項３１】
担体（２）が連結案内部（２５）を有しており、該連結案内部（２５）が、コネクタの担体のコネクタネックに対応配置されており、連結案内部（２５）が、シール面又はシールを有している、請求項１７から３０までのいずれか１項記載の同軸的な差込み接続部のカップラ（１）。
【請求項３２】
担体（２）が、ロックエレメント（２７）を有しており、該ロックエレメント（２７）が、コネクタの担体に設けられたロック対向ピースに対応配置されている、請求項１７から３１までのいずれか１項記載の同軸的な差込み接続部のカップラ（１）。
【発明の詳細な説明】
【技術分野】
【０００１】
本発明は、請求項１の上位概念部に記載の特徴による、ケーブル及び対応したカップラに結合可能になっている、同軸的な差込み接続装置のコネクタ、特にアンテナコネクタであって、導電性の材料より形成された外部導体スリーブと、この外部導体スリーブのコネクタスリーブ領域の内部に配置された絶縁体とが設けられており、この絶縁体がコンタクトピンを有している形式のものに関する。
【０００２】
本発明は、請求項１７の上位概念部に記載の特徴による、ケーブル及び対応したコネクタと結合可能になっている、同軸的な差込み接続部のカップラであって、導電性の材料より形成された外部導体スリーブと、この外部導体スリーブのコネクタスリーブ領域の内部に配置された絶縁体とが設けられており、この絶縁体がコンタクトピンを有している形式のものにも関する。
【０００３】
上記形式のコネクタが、ドイツ連邦共和国特許公開第１９６０９５７１号明細書につき公知である。このコネクタの外部導体スリーブは金属より製造されており、ケーブルを案内し、ケーブルの遮蔽編組との電気的なコンタクトを形成し、さらにケーブルの内部導体とコンタクトピンとを接続することができる。このコネクタは、同様に金属より形成されたカップラに結合し、このカップラとロックすることもできる。
【０００４】
このようなコネクタ又はカップラ若しくはこのようなコネクタ・カップラ接続部は、確かに保護された乾燥したスペース内でケーブル接続部を形成することができる。しかしながら、これらのコネクタ及びコネクタ接続部は、例えば車両の外部で湿気、水飛沫及びその他の影響にさらされている領域内では、確実な接続を保証することができない。
【０００５】
そこで本発明の根底にある課題は、コネクタ及びカップラを改良し、ケーブルもコネクタ・カップラユニットも耐水性に形成されており、これにより、コネクタ及びカップラが自動車の外部領域でも使用することができるものを提供することである。コネクタ及びカップラは損傷時にもメンテナンスしやすく、交換が可能となるものが望ましい。
【０００６】
この課題は、請求項１及び請求項１７の特徴部により解決される。
【０００７】
本発明によれば、コネクタのためには（請求項１〜請求項１６においても）、外部導体スリーブとケーブルの外側カバーとの間の、コンタクトピンに向いていない方の端部にはシールエレメントが配置されており、コネクタスリーブがシール又はシール面を有しているようになっている。この構成により、ケーブルの外側カバーと外部導体スリーブとの間には湿気が進入することができないようになっており、コネクタはシールによりカップラの対応した構成部分に対してシールされているか、又はシール面によりカップラの対応した構成部分のシール部でシールされている。この場合に、カップラが対応した形式でシールされており、カップラの内部からも水又は湿気が進入しないようにもなっている。
【０００８】
本発明の発展形では、シールが、コネクタスリーブの、ケーブルに向いた端部に設けられたシールリングの形で形成されており、このシールリングが、コネクタスリーブの自由な端部に向けられて、減じられた直径を備えたリング面を有していることが提案される。このような構成により、カップラの対応した構成部分のシール面が、連結時に確実にシールリングに載置されることが達成される。このシールリングはコネクタスリーブの溝内に挿入されており、これにより、シールリングは軸線方向にも固定されている。シールリングの前にはコネクタスリーブの自由な端部の方向にコネクタスリーブはリング状の傾斜面を有しており、この傾斜面により、カップラの対応した構成部分の案内部とこの構成部分との導電性のコンタクト部を形成することができる。
【０００９】
コネクタスリーブと、カップラの対応した構成部分との間の導電性のコンタクトを改善するためには、コネクタスリーブの外周にはコンタクトスリーブが取り付けられており、このコンタクトスリーブはカップラの差込みスリーブに対応配置されている。このコンタクトスリーブは波形でばね弾性的かつ電気伝導性に形成されており、これにより、コネクタスリーブと、カップラの対応した構成部分との間の半径方向のコンタクトを確保している。１つのみのコンタクトスリーブが設けられており、これにより、上記コンタクトスリーブが、コネクタと、対応したカップラとの連結の前に差込みスリーブに挿入されるか、又はカップラの対応した構成部分の内部に挿入されることを指摘しておく。
【００１０】
有利には外部導体スリーブは担体内に挿入されており、この場合にこの担体はロックスライダを有しており、このロックスライダは外部導体スリーブに設けられた隆起部状の拡大部に後方から係合する。これにより、外部導体スリーブと担体との組立後にはロックスライダにより確実な軸線方向の固定が形成される。外部導体スリーブと担体との間への湿気の進入をも阻止するためには、シールエレメントがケーブルの外側カバーと外部導体スリーブとの間で外部導体スリーブから突出しており、シールする形で担体に接続している。
【００１１】
外部導体スリーブを担体内で軸線方向に固定するためには、外部導体スリーブはショルダを有しており、このショルダは担体に設けられた狭隘部に対応配置されている。これにより、有利には担体の、外部導体スリーブに対して軸線方向の固定が得られる。ロックスライダは、確実な形状接続的なロックのために２つのフィンガを有しており、これらのフィンガは、担体内に設けられた開口を通過して、外部導体スリーブの隆起部状の拡大部の両側にまで達し、これにより、担体内に設けられた開口内へフィンガを挿入した後にはショルダに対して反対方向の固定が得られる。
【００１２】
しかしながら、隆起部状の拡大部の構成に応じて、担体と外部導体スリーブとの固定をフィンガによってのみ得ることもできることを指摘しておく。この場合、例えば隆起部状の拡大部に接続して外部導体スリーブ内に溝が設けられており、この溝内にフィンガが係合し、これにより、フィンガにより両方向の固定を得ることができる。
【００１３】
本発明の別の構成では、ロックスライダが支持体を有しており、この支持体にはフィンガが固定されており、この場合に支持体にはさらに少なくとも２つのクランプが固定されており、これらのクランプが支持体に設けられた切欠きに対応していることが提案される。前記クランプ及び切欠きは、ロックスライダを支持体に固定するために設けられている。有利には、ロック方向に直列に配置された複数の切欠きが設けられており、これにより、担体においてロックスライダの前ロック及び最終的なロックを行うことができる。
【００１４】
担体内の開口の領域に湿気が進入することをも阻止するためには、支持体及び／又は担体の、担体に向いた支持面にシールが設けられていることが提案される。このシールは、例えば面状シール、又は支持体又は支持面に取り付けられた吹き付けられたシール、又は支持体又は支持面の内に挿入されたシールとして任意に形成されていてもよい。有利には、担体の周は横断面図で見て長方形に構成されており、これにより、支持面、及び支持体の対応した面が平坦に構成されている。しかしながら、担体の外周面が横断面図で見て円形に構成されており、これにより、支持体の内面が対応して成形されており、シールが丸みに適合されていることも可能である。
【００１５】
有利には、担体の外面には切欠きが設けられており、この切欠きは支持体の厚さ及び外側輪郭にほぼ対応している。これにより、支持体は最終ロック位置では隣接する面と共に平坦かつ平滑なユニットを形成している。
【００１６】
コネクタの担体と、カップラの対応した担体とを結合するためには、コネクタの担体がコネクタネックを有しており、このコネクタネックはカップラの支持体の連結案内部に対応配置されており、この場合にコネクタネックはシールリング又はシール面を有している。このシールリングはコネクタネックの外周に取り付けられており、溝内に挿入されており、これにより、軸線方向の固定が確保されている。いまコネクタネックが連結案内部内に内に挿入された場合には、この移行領域もシールされている。
【００１７】
有利には支持体はロックエレメントを有しており、このロックエレメントは、カップラの担体に設けられたロック対向ピースに対応配置されている。これらの担体が互いに連結された場合には、ロックエレメントとロック対向ピースとにより、位置が互いに固定されたことが確保される。
【００１８】
本発明によれば、カップラのためには（請求項１７〜請求項３２においても）、外部導体スリーブと、ケーブルの外側カバーの、コンタクトエレメントに向いていない方の端部との間にシールエレメントが配置されており、差込みスリーブはシール面又はシールを有している。このような構成により、ケーブルが一方では外部導体スリーブ内で明確に規定されてシールされており、さらにコネクタと嵌め合わされた差込みスリーブも同様に外部導体スリーブに対してシールされていることが確保されている。有利には、シール面は差込みスリーブの自由な端部に配置されており、コネクタに設けられたシールに対応しているか、又はシールはコネクタスリーブの、ケーブルに向いた端部に設けられており、コネクタの対応した部分に設けられたシール面と作用結合することができる。
【００１９】
差込みスリーブの端部に設けられたシール面は、有利には外側面取部、リング面及び内側面取部を有している。外側面取部は、コネクタに設けられたシール部を把持し、シールするために働き、この場合にリング面は主シール面として働く。内側面取部はコネクタに設けられた対応した対向面と共に金属的な機能と電気的な伝導部の役割を引き受ける。前記シール面は、有利には差込みスリーブの内部に配置されており、コネクタのコネクタスリーブに設けられたシールに対応配置されており、この場合にこのシールはコネクタスリーブの外側領域に配置されている。
【００２０】
内側面取部がコネクタに設けられた対応した面と明確に作用結合していない場合にも、確実な電気的な伝導を保証するためには、差込みスリーブの内部にコンタクトスリーブが挿入されており、このコンタクトスリーブは組み込まれた状態で差込みスリーブと、コネクタの対応したコネクタスリーブとの間に配置されている。有利には、このコンタクトスリーブはばね弾性的な材料より波形に形成されており、リング状に成形されており、これにより、コンタクトスリーブは差込みスリーブともコネクタスリーブとも所定の電気的なコンタクトを確保している。
【００２１】
有利には、外部導体スリーブは担体内に挿入されており、この場合にこの担体はロックスライダを有しており、このロックスライダは外部導体スリーブに設けられた隆起部状の拡大部に後方から係合する。さらに外部導体スリーブはショルダを有しており、このショルダは担体の少なくとも１つの突出部に対応配置されている。これにより、外部導体スリーブがショルダと突出部との結合により一方の方向にも、かつロックスライダにより他方の方向にも担体内に軸線方向に確実に規定されていることが確保される。
【００２２】
有利には、ロックスライダは２つのフィンガを有しており、これらのフィンガは、担体内の開口を通過して、外部導体スリーブに設けられた隆起部状の拡大部の両側にまで達している。このような構成により規定されたロック機能が生じる。なぜならば、フィンガは一方では担体内の開口に係合し、かつ他方では外部導体スリーブの両側の隆起部状の拡大部に係合し、これによりロックするからである。フィンガ、及び外部導体スリーブと担体とに設けられた対向面の構成に応じて、フィンガに、逆側に位置するショルダを有する担体の切欠と、外部導体スリーブの隆起部状の拡大部に隣接して設けられた溝とが対応配置されており、これらの切欠き及び溝内にフィンガが係合する場合には、両方の軸線方向に外部導体スリーブ及び担体の固定を確保することもできる。
【００２３】
さらにロックスライダは支持体を有しており、この支持体にはフィンガが固定されており、この場合にさらに支持体には少なくとも２つのクランプが固定されており、これらのクランプは担体に設けられた切欠きに対応している。有利にはクランプは担体の外壁に係合し、これにより、クランプは切欠き内で係止することができ、ロックスライダの規定された固定を保証する。前ロック及び最終ロックを保証するためには、複数の切欠きがロック方向に直列に配置されており、これにより、クランプはロック方向に第１の切欠き内で前ロックを規定し、かつ別の切欠きが最終ロックを規定する。
【００２４】
湿気又は水が担体内の開口を介して外部導体スリーブまで到達することができないことを保証するためには、支持体及び／又は担体の、支持体に向いた支持面にシールが設けられている。このシールは面状シールの形で構成されていても、いずれか１つの構成部分に吹き付けられたシールの形で構成されていてもよいし、又は支持体の溝内又は支持面に配置されたシールリングの形で構成されていてもよい。
【００２５】
有利には、担体の外面には切欠きが設けられており、この切欠きは、支持体の厚さ及び外側輪郭にほぼ対応している。これにより、支持体若しくはロックスライダは担体の隣接する面と共に平坦で平滑なユニットを形成しており、このユニットは突出した部分にひっかかることはできない。担体の外面は、横断面図で見てほぼ長方形に形成されていてよく、これにより、支持体又は支持面には平坦なシール面が生じる。しかしながら、担体は、横断面図で見てほぼ円形に形成されていてもよく、支持体は対応した円筒状の形状を有していてよく、これにより、シールと支持体の外面とはこれらの形状に適合されている。
【００２６】
ケーブルと担体との間の直接のシールも設けられていることを保証するためには、シールエレメントが外部導体スリーブと、ケーブルの外側カバーとの間で外部導体スリーブから突出しており、シールする形で担体に接続していることが提案される。これにより、ロックスライダに設けられた支持体と担体との間のシールにもかかわらず、まだ湿気又は水が外部導体スリーブと支持体との間にケーブル側から進入することができないことが保証されている。
【００２７】
さらに担体は連結案内部を有しており、この連結案内部はコネクタの担体のコネクタネックに対応配置されており、この場合に連結案内部はシール面又はシールを有している。連結案内部とコネクタネックとの間のこのような構成は、差込みスリーブとコネクタスリーブとの間のシールと類似に形成されており、この場合に、連結案内部に設けられたシール面又はシールは、カップラに設けられた担体とコネクタに設けられた担体との間への水の進入を阻止する。
【００２８】
有利には、担体はロックエレメントを有しており、このロックエレメントはコネクタの担体に設けられたロック対向ピースに対応配置されており、これにより、カップラとコネクタとの最終結合後に担体の互いのロックを行うことができる。
【００２９】
本発明をさらに説明するためには図面を参照されたい。これらの図面には本発明の実施例が簡易化して示されている。しかしながら、本発明はこの実施例に限定されていない。
【００３０】
コネクタに関する図１、図２、図３、図４及び図５には、個別に示している場合には符号１によりコネクタが示されており、このコネクタ１は担体２の内部に配置されている。このコネクタ１は外部導体スリーブ３を有しており、この外部導体スリーブ３にはコネクタスリーブ４が一体成形されている。外部導体スリーブ３の内部にはケーブル５が挿入されており、このケーブル５の遮蔽編組６は折り返されており、外部導体スリーブ３と電気的にコンタクトしている。ケーブル５はシールエレメント７により外部導体スリーブ３及び担体２に対してシールされている。さらに外部導体スリーブ３の内部には絶縁体８が挿入されており、この絶縁体８はコンタクトピン９を有しており、このコンタクトピン９の自由な端部はコネクタスリーブ領域内に突入している。コネクタスリーブ４の、ケーブル５に向いている方の端部にはシール１０が取り付けられており、このシール１０は、コネクタスリーブ４の自由な端部に向いた領域に減衰された直径を有するリング面１１を有している。前記シールは溝内に挿入されており、これにより、軸線方向に固定されている。シールの前にはコネクタスリーブ４の方向にリング状の傾斜面が設けられており、この傾斜面は、カップラの対応した構成部分の案内を引き受け、カップラに設けられた面取部との金属的なコンタクトを形成する。さらに外部導体スリーブ３の外面には隆起部状の拡大部１３が設けられており、この拡大部１３には担体２内に設けられた開口１６が接続している。さらに隆起部状の拡大部１３はショルダ１４を形成しており、このショルダ１４は担体２の狭隘部１５と作用結合しており、これにより、この狭隘部１５とショルダ１４とは、外部導体スリーブ３を担体２内へ押し込んだ後に、又は担体２を外部導体スリーブ３へ押し込んだ場合に外部導体スリーブ３において担体の位置固定を確保する。
【００３１】
特に図２から判るように、ロックスライダ１８が設けられており、このロックスライダ１８はフィンガ１７を有しており、このフィンガ１７は開口１６内へ押し込むことができる。さらにロックスライダ１８は４つのクランプ１９を有しており、これらのクランプ１９は、担体２の外面に設けられた切欠き２０に適合しており、これにより、ロックスライダのフィンガを開口内へ押し込んだ後には切欠きにおいてロックスライダのクランプの係止が得られる。担体２と、ロックスライダ１８の内面との間にはシール２１が設けられており（図５）、このシール２１は面状シールとして形成されており、開口１６内への水又は湿気の進入を阻止する。しかしながら、シールは担体２又はロックスライダ１８に設けられた溝内に挿入されたリング状シール又は吹き付けられたシール又はこれに類する形で形成されていてもよい。さらに担体２はコネクタネック２２を有しており、このコネクタネック２２にはシール２３が配置されている。このシール２３は溝内に挿入されており、これにより位置固定されている。さらに担体２にはロックエレメント２４が固定されており、このロックエレメント２４は突起の形で構成されており、これにより、カップラの担体に設けられた、フックの形で形成されたロック対向ピースがこの突起に後方から係合することができる。
【００３２】
カップラに関する図６、図７、図８、図９及び図１０には、別個の示されている場合には符号１によりカップラが示されており、このカップラ１は担体２内に挿入されている。このカップラ１は外部導体スリーブ３を有しており、この外部導体３スリーブの一方の端部は差込みスリーブ４の形で形成されている。外部導体３の反対側の端部はケーブル５を収容するために形成されており、このケーブル５の折り返された遮蔽編組６は外部導体スリーブ３に接触しており、この外部導体スリーブ３との電気的なコンタクトを形成している。遮蔽編組との接続部には、ケーブル５と外部導体スリーブ３との間にシールエレメント７が挿入されており、このシールエレメント７は外部導体スリーブ３から突出しており、シールする形で担体２に接続している。外部導体スリーブ３の内部には絶縁体８が配置されており、この絶縁体８はコンタクトエレメント９を有しており、このコンタクトエレメント９はケーブル５の内部導体に電気的に接続されている。前記差込みスリーブ４は自由な内側端部にシール面１０を有しており、このシール面１０にはリング面１２の外側面取部１１と内側面取部１３とが設けられている。さらに差込みスリーブ４の内部にはコンタクトスリーブ１４が配置されており、このコンタクトスリーブ１４は波形のばね弾性的な導電性の材料より形成されており、差込みスリーブ４と、コネクタのコネクタスリーブとのコンタクトのために形成されている。
【００３３】
外部導体スリーブ３は外周に隆起部状の拡大部１５を有しており、この拡大部１５はリング状に形成されている。この隆起部状の拡大部１５にはリング溝１６が接続している。このリング溝１６にはスリーブ状の領域と突出部１７とが続いており、この突出部は同様にリング状に形成されている。このような構成により、カップラ１若しくは外部導体スリーブ３に担体２を被せ嵌める、若しくは、カップラ１若しくは外部導体スリーブ３を担体２内に押し込むことができるようになっており、この場合に担体２は狭隘部１８を有しており、この狭隘部１８は外部導体スリーブのショルダ１７と共にストッパを形成している。隆起部状の拡大部１５及びリング溝１６に隣接して側方には担体２内の開口部が配置されており、これらの開口部はロックスライダ２１のフィンガ２０（図７）を収容するために形成されている。さらにロックスライダ２１は４つのクランプ２２を有しており、これらのクランプ２２は担体２に設けられた切欠き２３（図９）に対応しており、この場合に複数の切欠きが直列に設けられており、これにより、担体２においてロックスライダ２１の一次ロック及び二次ロックが可能になっている。担体２の外周は横断面図で見て長方形に形成されており、これにより、ロックスライダ２１のための平坦な面が生じる。担体２は外周のロックスライダ２１の領域内にシール２４を有しており、このシール２４は、ロックスライダ２１と担体２９との二次ロックの後に確実なシールを形成する。
【００３４】
さらに担体２はカップラ案内部２５を有しており、このカップラ案内部２５は、コネクタの担体のコネクタネックと協働する。このコネクタネックとカップラ案内部との間にも確実なシールを形成するためには、コネクタの担体のコネクタネック（図８）はシール２６を有している。ロックスライダの領域内には担体２は切欠きを有しており、この切欠きは、支持体２９の厚さ及び外側輪郭に適合しており、これにより、支持体は二次シールが得られた後には担体２と同一平面をなす。
【００３５】
さらに担体２にはロックエレメント２７が固定されており、このロックエレメント２７はコネクタの支持体に設けられたロック対向ピースに対応配置されている。ロックエレメント２７はフックの形で形成されており、このフックは担体２に旋回可能に固定されており、コネクタの支持体に設けられたロック対向ピースに後方から係合する。
【図面の簡単な説明】
【００３６】
【図１】担体を有するコネクタを断面した斜視図である。
【図２】担体を有するコネクタを断面した展開図である。
【図３】対応したカップラと嵌め合わされた、図１によるコネクタを断面した斜視図である。
【図４】担体を有するカップラと連結された、担体を有するコネクタの外観を示す斜視図である。
【図５】図４による、担体を有するコネクタとカップラとを上から見た図である。
【図６】担体を有する、耐水性のカップラの断面図である。
【図７】図６によるカップラ及び担体の部分を示す展開図である。
【図８】図７によるカップラ及び担体と、対応したコネクタ及び担体を構成ユニットの形で示す断面図である。
【図９】カップラの担体とコネクタの担体とが嵌め合わされた状態を、ロックスライダなしに示す外観図である。
【図１０】ロックスライダが部分的及び完全に係止された、図９に類似の構成を示す外観斜視図である。
【符号の説明】
【００３７】
図１から図５までの符号リスト
１  コネクタ、  ２  担体、  ３  外部導体スリーブ、  ４  コネクタスリーブ、  ５  ケーブル、  ６  遮蔽編組、  ７  シールエレメント、  ８  絶縁体、  ９  コンタクトピン、  １０  シール、  １１  リング面、  １２  コンタクトスリーブ、  １３  隆起部状の拡大部、  １４  ショルダ、  １５  狭隘部、  １６  開口、  １７  フィンガ、  １８  ロックスライダ、  １９  クランプ、  ２０  切欠き、  ２１  シール、  ２２  コネクタネック、  ２３  シールリング、  ２４  ロックエレメント、  ２５  支持体、  ２６  切欠き
図６から図１０までの符号リスト
１  カップラ、  ２  担体、  ３  外部導体スリーブ、  ４  コネクタスリーブ、  ５  ケーブル、  ６  遮蔽編組、  ７  シールエレメント、  ８  絶縁体、  ９  コンタクトエレメント、  １０  シール面、  １１  外側面取部、  １２  リング面、  １３  内側面取部、  １４  コンタクトスリーブ、  １５  隆起部状の拡大部、  １６  リング溝、  １７  ショルダ、  １８  狭隘部、  １９  開口、  ２０  フィンガ、  ２１  ロックスライダ、  ２２  クランプ、  ２３  切欠き、  ２４  シール、  ２５  連結案内部、  ２６  シールリング、  ２７  ロックエレメント、  ２８  切欠き、  ２９  支持体
【図１】
2007521618.tif 000003
【図２】
2007521618.tif 000004
【図３】
2007521618.tif 000005
【図４】
2007521618.tif 000006
【図５】
2007521618.tif 000007
【図６】
2007521618.tif 000008
【図７】
2007521618.tif 000009
【図８】
2007521618.tif 000010
【図９】
2007521618.tif 000011
【図１０】
2007521618.tif 000012
【国際調査報告】
2007521618.tif 000013
2007521618.tif 000014
2007521618.tif 000015
2007521618.tif 000016
2007521618.tif 000017
2007521618.tif 000018